(57)【特許請求の範囲】
【請求項１】
ロール媒体を保持可能であり、ロール媒体を送り方向下流側へ送り出すことが可能な第１ホルダー部と、
送られたロール媒体に対して記録する記録部と、
記録されたロール媒体を巻き取る第２ホルダー部と、を備え、
前記第１ホルダー部および前記第２ホルダー部の少なくとも一方は、ロール媒体の送り方向に対する幅方向に移動可能な構成であり、
前記記録部下流側には、ロール媒体の送り経路上における送り方向において異なる位置、かつ、幅方向側方には、幅方向におけるロール媒体の側端の位置を確認することができる第１種の目印が前記ロール媒体の送り経路を構成する同一の部材に設けられており、該第１種の目印は、幅方向における所定の範囲に設けられていることを特徴とする記録装置。
【請求項２】
請求項１に記載の記録装置において、前記第１種の目印は、送り方向において異なる二つの位置に設けられていることを特徴とする記録装置。
【請求項３】
請求項１または２に記載の記録装置において、前記第１ホルダー部および前記第２ホルダー部は、ロール媒体の幅方向にそれぞれ移動可能な構成である記録装置。
【請求項４】
請求項３に記載の記録装置において、送り経路上における前記第１ホルダー部と前記記録部との間には、前記第１種の目印と異なる目印であり前記所定の範囲を示す第２種の目印が設けられており、該第２種の目印は、幅方向における前記所定の範囲に設けられていることを特徴とする記録装置。
【請求項５】
ロール媒体を保持可能であり、ロール媒体を送り方向下流側へ送り出すことが可能な第１ホルダー部と、
送られたロール媒体に対して記録する記録部と、
記録されたロール媒体を巻き取る第２ホルダー部と、を備え、
前記第１ホルダー部および前記第２ホルダー部の少なくとも一方は、ロール媒体の送り方向に対する幅方向に移動可能な構成であり、
ロール媒体の送り経路上における送り方向において異なる位置、かつ、幅方向側方には、幅方向におけるロール媒体の側端の位置を確認することができる第１種の目印が設けられており、該第１種の目印は、幅方向における所定の範囲に設けられており、
前記第１ホルダー部および前記第２ホルダー部は、ロール媒体の幅方向にそれぞれ移動可能な構成であり、
送り経路上における前記第１ホルダー部と前記記録部との間には、前記第１種の目印と異なる目印であり前記所定の範囲を示す第２種の目印が設けられており、該第２種の目印は、幅方向における前記所定の範囲に設けられていることを特徴とする記録装置。
【請求項６】
ロール媒体を保持可能であり、ロール媒体を送り方向下流側へ送り出すことが可能な第１ホルダー部と、
送られたロール媒体に対して記録する記録部と、
記録されたロール媒体を巻き取る第２ホルダー部と、を備え、
前記第１ホルダー部および前記第２ホルダー部の少なくとも一方は、ロール媒体の送り方向に対する幅方向に移動可能な構成であり、
ロール媒体の送り経路上における送り方向において異なる位置、かつ、幅方向側方には、幅方向におけるロール媒体の側端の位置を確認することができる第１種の目印が設けられており、該第１種の目印は、幅方向における所定の範囲に設けられており、
前記第１種の目印は、送り方向において異なる二つの位置に設けられており、
前記第１ホルダー部および前記第２ホルダー部は、ロール媒体の幅方向にそれぞれ移動可能な構成であり、
送り経路上における前記第１ホルダー部と前記記録部との間には、前記第１種の目印と異なる目印であり前記所定の範囲を示す第２種の目印が設けられており、該第２種の目印は、幅方向における前記所定の範囲に設けられていることを特徴とする記録装置。
【請求項７】
請求項１から６のいずれか１項に記載の記録装置において、前記第１ホルダー部から前記第２ホルダー部までの送り経路は、側視逆Ｕ字状となる構成であり、
前記第１種の目印は、前記逆Ｕ字の頂部を基準とした前記第２ホルダー部側に設けられていることを特徴とする記録装置。
【発明の詳細な説明】
【技術分野】
【０００１】
本発明は、ロール媒体に対して記録し、記録したロール媒体を巻き取る構成である記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、給送部と、記録部と、巻き取り部とを備えていた。このうち、前記給送部は、保持されたロール紙を解いて送り方向下流側の記録部へ送ることができるように構成されていた。また、前記記録部は、送られたロール紙に対してインクを吐出して記録を実行することができるように構成されていた。またさらに、前記巻き取り部は、記録されたロール紙を巻き取ることができるように構成されていた。
【先行技術文献】
【特許文献】
【０００３】
【特許文献１】特開２０１０−１４９３１７号公報
【発明の概要】
【発明が解決しようとする課題】
【０００４】
しかしながら、前記給送部からロール紙の先端を前記巻き取り部まで引き回してセットした際、前記給送部におけるロール紙の幅方向における位置と、前記巻き取り部におけるロール紙の幅方向における位置とがずれている場合がある。そして、そのまま記録を実行すると、斜行したロール紙に対して記録を実行することとなり、所望の品質を得られない。また、斜行したロール紙を巻き取っていくと、ロール紙が幅方向に蛇行してきれいに巻き取れない。
【０００５】
本発明は、このような状況に鑑み成されたものであり、その課題は、ロール媒体をセットした際の送り方向に対するロール媒体の傾きを考慮した記録装置を提供することである。
【課題を解決するための手段】
【０００６】
上記課題を達成するため、本発明の一つの態様は、ロール媒体を保持可能であり、ロール媒体を送り方向下流側へ送り出すことが可能な第１ホルダー部と、送られたロール媒体に対して記録する記録部と、記録されたロール媒体を巻き取る第２ホルダー部と、を備え、前記第１ホルダー部および前記第２ホルダー部の少なくとも一方は、ロール媒体の送り方向に対する幅方向に移動可能な構成であり、前記記録部下流側には、ロール媒体の送り経路上における送り方向において異なる位置、かつ、幅方向側方には、幅方向におけるロール媒体の側端の位置を確認することができる第１種の目印が前記ロール媒体の送り経路を構成する同一の部材に設けられており、該第１種の目印は、幅方向における所定の範囲に設けられていることを特徴とする。
また、本発明の第１の態様の記録装置は、ロール媒体を保持可能であり、ロール媒体を送り方向下流側へ送り出すことが可能な第１ホルダー部と、送られたロール媒体に対して記録する記録部と、記録されたロール媒体を巻き取る第２ホルダー部と、を備え、前記第１ホルダー部および前記第２ホルダー部の少なくとも一方は、ロール媒体の送り方向に対する幅方向に移動可能な構成であり、ロール媒体の送り経路上における送り方向において異なる位置、かつ、幅方向側方には、幅方向におけるロール媒体の側端の位置を確認することができる第１種の目印が設けられており、該第１種の目印は、幅方向における所定の範囲に設けられていることを特徴とする。
【０００７】
本態様によれば、前記第１ホルダー部からロール媒体の先端を前記第２ホルダー部まで引き回してセットする際、前記第１種の目印によって、記録装置の送り方向に対するロール媒体の傾きの有無を確認することができる。具体的には、ロール媒体の側端と、前記第１種の目印との位置関係を、前記異なる位置においてそれぞれ確認することにより、送り方向に対するロール媒体の傾きの有無を確認することができる。前記異なる位置における前記位置関係が同じである場合、前記傾きがないことがわかる。
【０００８】
一方、前記異なる位置における前記位置関係が異なる場合、前記傾きがあることがわかる。  
係る場合、前記異なる位置における前記位置関係が同じになるように、前記第１ホルダー部および前記第２ホルダー部の少なくとも一方を、幅方向へ移動させる。そして、前記位置関係が同じになるように調整することにより、前記傾きを無にすることができる。  
その結果、斜行していないロール媒体に対して記録を実行することができ、所望の品質を得ることができる。  
また、ロール媒体が幅方向に蛇行しないので、きれいに巻き取ることができる。
【０００９】
前記第１ホルダー部および前記第２ホルダー部の両方が、それぞれ幅方向に移動可能な構成である場合に特に有効である。  
尚、前記第１種の目印は、送り方向における異なる位置にあればよい。例えば、送り方向に長尺であり、前記異なる位置を繋ぐような構成でもよい。つまり、前記第１種の目印は、前記異なる位置をカバーする範囲に一つ設けられていてもよい。また、前記異なる位置のそれぞれに設けられていてもよい。つまり、前記第１種の目印は、複数設けられていてもよい。
【００１０】
本発明の第２の態様は、第１の態様において、前記第１種の目印は、送り方向において異なる二つの位置に設けられていることを特徴とする。  
本態様によれば、第１の態様と同様の作用効果に加え、送り方向における異なる二箇所でロール媒体の側端と、前記第１種の目印との位置関係を確認することができる。ここで、仮に、前記第１種の目印を三つ以上設けたとしても、前記傾きの有無の確認のためには二箇所で十分であるので、三つ目以降は無駄となる。つまり、無駄を無くすことができる。  
また、送り方向における二箇所の間に目印を設けないので、無駄がない。つまり、送り方向に長尺な目印を一つ設ける構成と比較して、無駄がない。
【００１１】
本発明の第３の態様は、第１または第２の態様において、前記第１ホルダー部および前記第２ホルダー部は、ロール媒体の幅方向にそれぞれ移動可能な構成であることを特徴とする。  
本態様によれば、第１または第２の態様と同様の作用効果に加え、係る場合に、送り方向に対して前記傾く虞が生じやすいので、前記第１種の目印を有する構成は、特に有効である。
【００１２】
本発明の第４の態様は、第３の態様において、送り経路上における前記第１ホルダー部と前記記録部との間には、前記第１種の目印と異なる目印であり前記所定の範囲を示す第２種の目印が設けられており、該第２種の目印は、幅方向における前記所定の範囲に設けられていることを特徴とする。  
本態様によれば、第３の態様と同様の作用効果に加え、前記第１ホルダー部にロール媒体をセットする際に前記第２種の目印をおおよその目標としてセットすることができる。
【００１３】
本発明の第５の態様は、第１から第４のいずれか一の態様において、前記第１ホルダー部から前記第２ホルダー部までの送り経路は、側視逆Ｕ字状となる構成であり、前記第１種の目印は、前記逆Ｕ字の頂部を基準とした前記第２ホルダー部側に設けられていることを特徴とする。  
本態様によれば、第１から第４のいずれか一の態様と同様の作用効果に加え、前記逆Ｕ字の頂部を基準として巻き取り側に前記第１種の目印がある。従って、ユーザーは、ロール媒体の先端を前記第２ホルダー部まで引き回してセットしながら、前記傾きの有無を容易に確認することができる。
【００１４】
また、ユーザーがロール媒体を前記セットした際、前記第２ホルダー部は巻き取る前である。従って、ロール媒体の自重は、前記第２ホルダー部に対してよりも前記第１ホルダー部に対して大きく作用する。そのため、前記第２ホルダー部の方が移動させやすい。  
そして、前記傾きがある場合、移動させやすい前記第２ホルダー部を移動させることにより、容易に傾きを無にすることができる。つまり、前記傾きを無にする調整が容易である。
【図面の簡単な説明】
【００１５】
【図１】本実施例のプリンターの全体構成の概略を示す側断面図。
【図２】本実施例のプリンターの全体構成の概略を示す正面図。
【図３】本実施例の媒体繰り出し手段のロールホルダー装置を示す斜視図
【図４】本実施例のプリンターにおける目印の位置を示す平面図。
【図５】（Ａ）〜（Ｃ）は本実施例の目印の使い方について説明する図。
【図６】（Ａ）（Ｂ）は他の実施例の目印について説明する図。
【発明を実施するための形態】
【００１６】
以下、本発明の実施の形態を図面に基づいて説明する。  
図１に示すのは、本実施例の記録装置としての大型のインクジェットプリンター１（以下、単にプリンターという。）の全体構成の概略を示す側断面図である。  
図１に示す如く、プリンター１は、媒体繰り出し手段２６と、記録部２８と、巻き取り手段３７と、を備えている。このうち、媒体繰り出し手段２６は、ロール状に巻かれたロール媒体Ｒを解いて送り方向Ｑへ送り出すことができるように構成されている。具体的には、送り出し側ロールホルダーである第１ホルダー部３と、ローラー対２９と、を有している。
【００１７】
このうち、第１ホルダー部３は、ロール媒体Ｒの両端部を回動可能に保持することができるように設けられている。第１ホルダー部３は、ロール媒体Ｒのロール芯１１の芯口１２に嵌る軸部１３と、ロール媒体Ｒの端部と接触可能なフランジ部９と、を有している。軸部１３は、回動自在な構成でも、図示しないモーターの動力によって駆動する構成でもよい。回動自在な構成の場合は、送り方向下流側の駆動するローラー対２９によってロール媒体Ｒが引っ張られて解かれるからである。  
尚、第１ホルダー部３は、向い合わせで一対配設されている。そして、このうち少なくとも一方の第１ホルダー部３が、ロール媒体Ｒの幅寸法の違いに対応してガイド部材７に対して幅方向Ｘにスライドし取付け位置を調整できるように構成されている。
【００１８】
また、第１ホルダー部３の下方には、仮置き部としての仮置き台５と、持ち上げ手段２とが設けられている。仮置き台５は、ロール媒体Ｒを第１ホルダー部３に取り付ける前に仮に置くための台である。一例として、幅方向Ｘに延設された二本の第１管部材７ａ、第２管部材７ｂによって構成されている。また、持ち上げ手段２は、仮置き台５に置かれた重たいロール媒体Ｒを容易に上方に持ち上げ、ロール媒体Ｒの端部を容易に第１ホルダー部３に取り付けることができるように構成されている。
【００１９】
具体的に、持ち上げ手段２は、ガイド部材７としての二本の第１管部材７ａ、第２管部材７ｂに対して幅方向Ｘに摺動可能な基体部８と、操作レバー６と、昇降部１６と、を備えている。そして、操作レバー６を一方向へ回動させることにより、昇降部１６は上昇し、ロール媒体Ｒを持ち上げることができる。一方、操作レバー６を反対方向へ回動させることにより、昇降部１６は下降し、ロール媒体Ｒを下ろすことができる。
【００２０】
また、記録部２８は、プリンター本体１９を有している。プリンター本体１９には、幅方向Ｘに延設されたキャリッジガイド軸２１と、キャリッジ２３と、記録ヘッド２５と、媒体支持部２７とが設けられている。キャリッジ２３は、キャリッジガイド軸２１にガイドされながら幅方向Ｘへ移動可能に設けられている。また、記録ヘッド２５は、キャリッジ２３における媒体支持部２７と対向する位置に設けられ、インクをロール媒体Ｒに対して吐出して記録することができるように構成されている。またさらに、媒体支持部２７は、ロール媒体Ｒを支持し、ロール媒体Ｒと記録ヘッド２５との間の距離を所定の距離にすることができるように設けられている。
【００２１】
尚、ローラー対２９は、プリンター本体１９の内部に設けたが、外部でもよい。ロール媒体Ｒを送り方向Ｑへ送ることができればよいからである。  
また、プリンター本体１９より送り方向上流側にはプレヒーター３１が設けられている。ロール媒体Ｒに対して記録を実行する前の段階で予めロール媒体Ｒを温めることにより、記録を実行した際、ロール媒体Ｒに着弾したインクが乾燥しやすくするためである。  
またさらに、プリンター本体１９より送り方向下流側にはアフターヒーター３３が設けられている。ロール媒体Ｒに着弾したインクを、記録を実行した後から巻き取り手段３７によって巻かれる前までの間に、確実に乾燥させるためである。
【００２２】
またさらに、巻き取り手段３７は、図示しないモーターの動力によってロール媒体Ｒを巻き取ることができるように設けられている。具体的には、ガイド部材３９としての二本の第３管部材３９ａ、第４管部材３９ｂに取り付けられた巻き取り側ロールホルダーとしての第２ホルダー部４０を有している。そして、第２ホルダー部４０に巻き取ったロール媒体Ｒを保持することができるように構成されている。
【００２３】
また、詳しくは後述するように、ロール媒体Ｒの送り経路Ａ上における異なる位置、かつ、幅方向側方には、第１種の目印Ｍ１が設けられている。第１種の目印Ｍ１は、幅方向Ｘにおけるロール媒体Ｒの側端Ｒ１の位置を確認することができるように、幅方向Ｘにおける所定の範囲Ｗに設けられている（図４参照）。本実施例では、第１種の目印Ｍ１は、送り経路Ａ上における異なる二つの位置に設けられている。また、ロール媒体Ｒの送り経路Ａは、側視逆Ｕ字状となるように構成されている。
【００２４】
そして、第１種の目印Ｍ１は、送り経路Ａ上において、側視逆Ｕ字状の頂部Ａ１を基準とした第２ホルダー部４０側に設けられている。  
またさらに、送り経路Ａ上における側視逆Ｕ字状の頂部Ａ１を基準とした第１ホルダー部３側には、第２種の目印Ｍ２が設けられている。第２種の目印Ｍ２は、幅方向Ｘにおける前記所定の範囲Ｗを示すために前記所定の範囲Ｗに設けられている。第１種の目印Ｍ１および第２種の目印Ｍ２の使い方については、後述するものとする。
【００２５】
尚、プリンター１は、下端部に移動用のキャスター１５を有する側面視逆Ｔ字形の支持フレーム１７を対向するように左右両端部に備えている。そして、支持フレーム１７の上部にプリンター本体１９が設けられている。また、支持フレーム１７に取り付けられたサブフレーム３５に、仮置き台５が取り付けられている。またさらに、第３管部材３９ａ、第４管部材３９ｂの両端は、支持フレーム１７から延びた保持部２４によって保持されている。  
また、図中のＺ軸方向は、鉛直方向である。
【００２６】
図２に示すのは、本実施例のプリンター１の全体構成の概略を示す正面図である。  
図２に示す如く、プリンター１の支持フレーム１７を基準とした前側には、第１ホルダー部３が設けられ、後側には、第２ホルダー部４０が設けられている。第１ホルダー部３は、前述したように、サブフレーム３５によって両端が保持されたガイド部材７としての第１管部材７ａ、第２管部材７ｂに対して、スライド可能に設けられている。同様に、第２ホルダー部４０は、保持部２４によって両端が保持されたガイド部材３９としての第３管部材３９ａ、第４管部材３９ｂに対して、スライド可能に設けられている。
【００２７】
ここで、第２ホルダー部４０の第３管部材３９ａ、第４管部材３９ｂに対する固定の仕方は、第１ホルダー部３の第１管部材７ａ、第２管部材７ｂに対する固定の仕方と同様である。以下、第１ホルダー部３を第１管部材７ａ、第２管部材７ｂに対して固定する構造について説明するものとし、第２ホルダー部４０を第３管部材３９ａ、第４管部材３９ｂに対して固定する構造についての説明は省略する。
【００２８】
図３に示すのは、本実施例の媒体繰り出し手段２６におけるロール媒体ホルダー装置５１を示す斜視図である。  
図３に示す如く、媒体繰り出し手段２６は、ロール媒体ホルダー装置５１を備えている。ロール媒体ホルダー装置５１は、ガイド部材７として二本の第１管部材７ａ、第２管部材７ｂと、軸部１３を有した第１ホルダー部３とを備えている。
【００２９】
そして、詳しくは後述するが、つまみ付きのねじ（図示せず）のつまみ部３６を、ねじを緩める方向へ回転させることにより、第１ホルダー部３を第１管部材７ａ、第２管部材７ｂに対して摺動させることができる。具体的には、第１ホルダー部３の下方に設けられたベース部４が第１管部材７ａ、第２管部材７ｂに対して摺動する。一方、ねじを締める方向へ回転させることにより、第１ホルダー部３を第１管部材７ａ、第２管部材７ｂに対して固定することができるように構成されている。従って、ロール媒体Ｒの幅サイズに応じて一対の第１ホルダー部３の位置を調整することができる。
【００３０】
尚、持ち上げ手段２は、一対の第１ホルダー部３の間において、第１管部材７ａ、第２管部材７ｂに対して摺動可能に設けられている。持ち上げ手段２については、第１管部材７ａ、第２管部材７ｂに対して摺動可能な状態と固定した状態とを切り替え可能に構成する必要はない。ロール媒体Ｒのサイズに応じてロール媒体Ｒの側端近傍の下方へ摺動させ、ロール媒体Ｒの側端（Ｒ１）を持ち上げることができればよいからである。
【００３１】
図４に示すのは、本実施例のプリンター１における目印の位置を示す平面図である。  
図４に示す如く、第１種の目印Ｍ１は、送り経路Ａ上における送り方向Ｑにおいて異なる二つに位置、かつ、幅方向側方に設けられている。さらに、幅方向Ｘにおける前記所定の範囲Ｗに設けられている。また、同様に第２種の目印Ｍ２も、幅方向Ｘにおける前記所定の範囲Ｗに設けられている。  
続いて、第１種の目印Ｍ１および第２種の目印Ｍ２の使い方について詳しく説明する。
【００３２】
図５（Ａ）〜（Ｃ）に示すのは、本実施例の目印の使い方について説明する図である。このうち、図５（Ａ）は第２種の目印Ｍ２とロール媒体Ｒの側端Ｒ１との関係を示す図である。また、図５（Ｂ）はロール媒体Ｒの先端を第１ホルダー部３から第２ホルダー部４０まで引き回してセットした際にロール媒体Ｒが送り方向Ｑに対して傾いていた場合の第１種の目印Ｍ１とロール媒体Ｒの側端Ｒ１との関係を示す図である。またさらに、図５（Ｃ）は前記傾いていない場合、または前記傾いていた場合に調整した後の状態の第１種の目印Ｍ１とロール媒体Ｒの側端Ｒ１との関係を示す図である。
【００３３】
図５（Ａ）に示す如く、第２種の目印Ｍ２は、幅方向Ｘにおける前記所定の範囲Ｗに設けられている。そして、前記所定の範囲Ｗを示すことができるように設けられている。ユーザーは、ロール媒体Ｒを第１ホルダー部３に取り付ける際、ロール媒体Ｒの一方の側端Ｒ１が第２種の目印Ｍ２上に位置するようにおおよその目標を定めてロール媒体Ｒを前記取り付ける。
【００３４】
これにより、ロール媒体Ｒの一方の側端Ｒ１の位置を、第１種の目印Ｍ１上に持ってくることができる。  
第２種の目印Ｍ２は、ロール媒体Ｒの一方の側端Ｒ１を一の側方に揃える所謂、片側揃えの構成である場合に特に有効である。また、一対の第１ホルダー部３が幅方向Ｘに摺動可能に設けられている構成である場合に特に有効である。
【００３５】
図５（Ｂ）に示す如く、第１種の目印Ｍ１は、幅方向Ｘにおけるロール媒体Ｒの側端Ｒ１の位置を確認することができる目盛りである。従って、送り方向Ｑにおいて異なる二つに位置において、第１種の目印Ｍ１とロール媒体Ｒの側端Ｒ１とのそれぞれの相対的な位置関係を読み取ることができる。  
そして、ロール媒体Ｒの先端を第１ホルダー部３から第２ホルダー部４０まで引き回してセットした際、第１種の目印Ｍ１とロール媒体Ｒの側端Ｒ１とのそれぞれの相対的な位置関係が異なる場合、ロール媒体Ｒは送り方向Ｑに対して傾いていることがわかる。  
一方、図５（Ｃ）に示す如く、送り方向Ｑにおいて異なる二つに位置に設けられた第１種の目印Ｍ１とロール媒体Ｒの側端Ｒ１とのそれぞれの相対的な位置関係が同じである場合、ロール媒体Ｒは送り方向Ｑに対して傾いていないことがわかる。
【００３６】
図５（Ｃ）に示す如く、ロール媒体Ｒが送り方向Ｑに対して傾いていない場合、何ら問題はない。  
一方、図５（Ｂ）に示す如く、ロール媒体Ｒが送り方向Ｑに対して傾いている場合、一対の第１ホルダー部３および一対の第２ホルダー部４０の少なくとも一方を幅方向Ｘへ僅かに摺動させる。そして、図５（Ｃ）に示す如く、送り方向Ｑにおいて異なる二つに位置に設けられた第１種の目印Ｍ１とロール媒体Ｒの側端Ｒ１とのそれぞれの相対的な位置関係が同じになるように、一対の第１ホルダー部３および一対の第２ホルダー部４０の少なくとも一方の位置を調整する。
【００３７】
ここで、ロール媒体Ｒの側端Ｒ１の位置を、幅方向Ｘにおける第１種の目印Ｍ１の目盛りの中心に合わせる必要はない。前記所定の範囲Ｗ内であればよい。前記所定の範囲Ｗ外である場合は第１種の目印Ｍ１とロール媒体Ｒの側端Ｒ１とのそれぞれの相対的な位置関係を読み取ることができないからである。  
その結果、良好な記録を実行することができる。また、巻き取り手段３７によって、ロール媒体Ｒの側端Ｒ１をきれいに揃えて巻き取ることができる。
【００３８】
尚、技術的思想としては、一対の第１ホルダー部３および一対の第２ホルダー部４０の少なくとも一方の位置を調整すればロール媒体Ｒが送り方向Ｑに対して傾いていない状態にすることができるが、一対の第２ホルダー部４０の位置を調整することが望ましい。ロール媒体Ｒの先端を第１ホルダー部３から第２ホルダー部４０まで引き回してセットした際、第１ホルダー部３には保持しているロール媒体Ｒの自重が大きく作用するため、第１ホルダー部３を摺動させにくいからである。
【００３９】
一方、記録実行前の第２ホルダー部４０にはロール媒体Ｒの自重が極めて小さく作用するため、第２ホルダー部４０を摺動させやすいからである。さらに、ロール媒体Ｒの先端を第１ホルダー部３から第２ホルダー部４０まで引き回してセットした際、ユーザーは、第２ホルダー部４０の近傍にいるから、容易に第２ホルダー部４０の位置を調整することができるからでもある。
【００４０】
また、本実施例において、第１種の目印Ｍ１を送り経路Ａ上において側視逆Ｕ字状の頂部Ａ１を基準とした第２ホルダー部４０側に設けた理由は、前記セットした際、ユーザーは、第２ホルダー部４０の近傍にいるからである。また、仮に、第１種の目印Ｍ１を前記基準とした第１ホルダー部３側に設けた場合、第２ホルダー部４０の近傍にいるユーザーにとって見にくいからでもある。  
技術的思想としては、第１種の目印Ｍ１が送り経路Ａ上の送り方向Ｑのおける異なる位置に設けられていればよい。従って、第１種の目印Ｍ１の位置は、側視逆Ｕ字状の頂部Ａ１を基準とした第２ホルダー部４０側に限られない。
【００４１】
尚、本実施例において、一対の第１ホルダー部３および一対の第２ホルダー部４０を摺動させる構成とした理由は、ロール媒体Ｒの重量が重いからである。一対のうちの一方のみが摺動する構成では、摺動しない他方へ重量が重いロール媒体Ｒを押し込む必要があり、前記セットすることが容易ではないからである。  
また、第１種の目印Ｍ１および第２種の目印Ｍ２は、送り経路Ａを構成する部材にシールで付したものでもよいし、送り経路Ａを構成する部材に直に印刷されたものでもよい。また、送り経路Ａを構成する部材に凹凸で形成されたものでもよい。  
またさらに、第１種の目印Ｍ１の目盛りは、数値が付されていない目盛りが望ましい。数値が付されているとユーザーは０に合わせようとするため、逆に斜行の原因となる虞があるからである。従って、第１種の目印Ｍ１の目盛りは、アルファベット等の記号が付されている構成でもよい。
【００４２】
また、技術的思想としては、記録を実行した際、ロール媒体Ｒが送り方向Ｑに対して傾いていなければよく、幅方向Ｘにおけるロール媒体Ｒの位置は問題ではない。キャリッジ２３にはロール媒体Ｒの有無を検出するセンサーが設けられており、ロール媒体Ｒの両側側端（Ｒ１）の位置を検出することができるからである。従って、第１種の目印Ｍ１および第２種の目印Ｍ２の前記所定の範囲Ｗは、広くてもよい。特に第１種の目印Ｍ１については、ロール媒体Ｒが送り方向Ｑに対して傾いているか否かを確認することができればよいからである。
【００４３】
本実施例の記録装置であるプリンター１は、ロール媒体Ｒを保持可能であり、ロール媒体Ｒを送り方向下流側へ送り出すことが可能な第１ホルダー部３と、送られたロール媒体Ｒに対して記録する記録部２８と、記録されたロール媒体Ｒを巻き取る第２ホルダー部４０と、を備え、第１ホルダー部３および第２ホルダー部４０の少なくとも一方は、ロール媒体Ｒの送り方向Ｑに対する幅方向Ｘに移動可能な構成であり、ロール媒体Ｒの送り経路Ａ上における送り方向Ｑにおいて異なる位置、かつ、幅方向側方には、幅方向Ｘにおけるロール媒体Ｒの側端Ｒ１の位置を確認することができる第１種の目印Ｍ１が設けられており、第１種の目印Ｍ１は、幅方向Ｘにおける所定の範囲Ｗに設けられていることを特徴とする。
【００４４】
また、本実施例において、第１種の目印Ｍ１、Ｍ１は、送り方向Ｑにおいて異なる二つの位置に設けられていることを特徴とする。  
またさらに、本実施例において、第１ホルダー部３および第２ホルダー部４０は、ロール媒体Ｒの幅方向Ｘにそれぞれ移動可能な構成であることを特徴とする。
【００４５】
また、本実施例において、送り経路Ａ上における第１ホルダー部３と記録部２８との間には、第１種の目印Ｍ１と異なる目印であり所定の範囲Ｗを示す第２種の目印Ｍ２が設けられており、第２種の目印Ｍ２は、幅方向Ｘにおける所定の範囲Ｗに設けられていることを特徴とする。  
またさらに、本実施例において、第１ホルダー部３から第２ホルダー部４０までの送り経路Ａは、側視逆Ｕ字状となる構成であり、第１種の目印Ｍ１は、前記逆Ｕ字の頂部Ａ１を基準とした第２ホルダー部４０側に設けられていることを特徴とする。
【００４６】
［他の実施例］
図６（Ａ）（Ｂ）に示すのは、他の実施例の第１種の目印Ｍ３について説明する図である。このうち、図６（Ａ）はロール媒体Ｒの先端を第１ホルダー部３から第２ホルダー部４０まで引き回してセットした際にロール媒体Ｒが送り方向Ｑに対して傾いていた場合の第１種の目印Ｍ３とロール媒体Ｒの側端Ｒ１との関係を示す図である。またさらに、図６（Ｂ）は前記傾いていない場合、または前記傾いていた場合に調整した後の状態の第１種の目印Ｍ３とロール媒体Ｒの側端Ｒ１との関係を示す図である。
【００４７】
図６（Ａ）（Ｂ）に示す如く、他の実施例の第１種の目印Ｍ３は、前述した実施例と比較して送り方向Ｑに長尺に設けられている。そして、一つの第１種の目印Ｍ３が、送り経路Ａ上の送り方向Ｑにおける二つの異なる位置をカバーすることができるように構成されている。従って、前述した実施例と同様の作用効果を得ることができる。その他の部材については、前述した実施例と同様であるので、同じ符号を用いることとし、その説明は省略する。
【００４８】
また、図６（Ａ）に示す如く、ロール媒体Ｒが送り方向Ｑに対して傾いていた場合において、一対の第１ホルダー部３および一対の第２ホルダー部４０の少なくとも一方を幅方向Ｘへ僅かに摺動させる。  
そして、図６（Ｂ）に示す如く、ロール媒体Ｒが送り方向Ｑに対して傾いていない状態に調整する。
【００４９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５０】
１  プリンター、２  持ち上げ手段、３  第１ホルダー部、４  ベース部、
５  仮置き台、６  操作レバー、７  ガイド部材、７ａ  第１管部材、
７ｂ  第２管部材、８  基体部、９  フランジ部、１１  ロール芯、１２  芯口、
１３  （第１ホルダー部の）軸部、１５  キャスター、１７  支持フレーム、
１９  プリンター本体、２１  キャリッジガイド軸、２３  キャリッジ、２４  保持部、
２５  記録ヘッド、２６  媒体繰り出し手段、２７  媒体支持部、２８  記録部、
２９  ローラー対、３１  プレヒーター、３３  アフターヒーター、
３５  サブフレーム、３６  つまみ部、３７  巻き取り手段、３９  ガイド部材、
３９ａ  第３管部材、３９ｂ  第４管部材、４０  第２ホルダー部、
５１  ロール媒体ホルダー装置、Ａ  送り経路、Ａ１  頂部、Ｍ１  第１種の目印、
Ｍ２  第２種の目印、Ｍ３  （他の実施例の）第１種の目印、Ｑ  送り方向、
Ｒ  ロール媒体、Ｒ１  側端、Ｗ  所定の範囲、Ｘ  幅方向、Ｚ  鉛直方向
【図１】
0005748057.tif 000002
【図２】
0005748057.tif 000003
【図３】
0005748057.tif 000004
【図４】
0005748057.tif 000005
【図５】
0005748057.tif 000006
【図６】
0005748057.tif 000007